(57)【特許請求の範囲】
【請求項１】
負荷に対して電力を供給するための電力線の電圧を測定する測定部と、
前記電圧と前記負荷に供給される有効電力との関係を示すＰＶ曲線上における、前記ＰＶ曲線に沿って前記電圧が低下するにつれて前記有効電力が増加する安定領域内の電圧である第１電圧よりも、前記測定部で測定された前記電圧が低いか否かを判定する第１判定部と、
前記電圧を上昇させる調相器が存在するか否かを判定する第２判定部と、
前記電圧が、前記第１電圧より低い前記安定領域内の第２電圧よりも、低いか否かを判定する第３判定部と、
前記電圧が、前記第１電圧と前記第２電圧との間の、前記安定領域内における第３電圧よりも低いか否かを判定する第４判定部と、
前記調相器としての複数の分路リアクトルを遮断する順序を示す第１データが記憶される第１記憶部と、
前記電圧が前記第１電圧よりも低いと判定され、且つ、前記調相器が存在すると判定された場合、前記電圧が前記第１電圧以上となるように、前記調相器を制御し、その後、前記電圧が前記第１電圧よりもまだ低いと判定された場合、前記負荷と前記電力線との間の区間を遮断するように遮断器を制御する第１制御部と、
前記電圧が前記第１電圧よりも低いと判定され、且つ、前記調相器が存在しないと判定された場合、前記負荷と前記電力線との間の区間を遮断するように前記遮断器を制御する第２制御部と、
前記電圧が前記第２電圧よりも低いと判定された場合、前記第１及び第２制御部の制御に関わらず、前記負荷と前記電力線との間の区間を遮断するように前記遮断器を制御する第３制御部と、
を備え、
前記第１判定部は、前記第１電圧と前記第２電圧との間の範囲において、前記電圧が前記第１電圧よりも低いものと判定し、
前記第４判定部が、前記電圧が前記第３電圧よりも低いと判定し、且つ、前記第２判定部が、前記調相器として前記複数の分路リアクトルが前記電力線に接続されていると判定した場合、前記第１制御部は、前記複数の分路リアクトルを一括で遮断するように制御し、
前記第４判定部が、前記電圧が前記第３電圧よりも高いと判定し、且つ、前記第２判定部が、前記複数の分路リアクトルが前記電力線に接続されていると判定した場合、前記第１制御部は、前記第１データに応じた順序で前記複数の分路リアクトルを選択的に遮断するように制御し、
前記電力線は、第１電気所に配設される第１母線と、前記第１電気所とは異なる第２電気所に配設されるとともに前記第１母線と電気的に接続される第２母線とを含み、
前記調相器は、前記第１母線の電圧を上昇させる第１調相器と、前記第２母線の電圧を上昇させる第２調相器を含み、
前記第１データは、前記第１電気所及び前記第２電気所毎の前記順序を示し、
前記測定部は、前記第１及び第２母線の電圧を夫々測定し、
前記第１及び第２母線の電圧の何れが低いかを判定する第５判定部、を更に備え、
前記第５判定部が、前記第１母線の電圧が前記第２母線の電圧よりも低いと判定した場合、前記第１制御部は、前記第１調相器を優先的に制御し、
前記第５判定部が、前記第２母線の電圧が前記第１母線の電圧よりも低いと判定した場合、前記第１制御部は、前記第２調相器を優先的に制御すること
を特徴とする電圧調整装置。
【請求項２】
前記負荷は、前記第１母線に接続される第１負荷と、前記第２母線に接続される第２負荷とを含み、
前記第５判定部が、前記第１母線の電圧が前記第２母線の電圧よりも低いと判定した場合、前記第１乃至第３制御部は、前記第１負荷と前記第１母線との間の区間を優先的に遮断するように前記遮断器を制御し、
前記第５判定部が、前記第２母線の電圧が前記第１母線の電圧よりも低いと判定した場合、前記第１乃至第３制御部は、前記第２負荷と前記第２母線との間の区間を優先的に遮断するように前記遮断器を制御すること
を特徴とする請求項１に記載の電圧調整装置。
【請求項３】
前記第２判定部が、前記調相器として前記複数の分路リアクトルが全て前記電力線に接続されていないと判定し、且つ、前記第２判定部が、前記調相器として電力用コンデンサが前記電力線に接続されていないと判定した場合、前記第１制御部は、前記電力用コンデンサが前記電力線に接続されるように制御すること
を特徴とする請求項１又は２に記載の電圧調整装置。
【請求項４】
前記第２判定部が、前記複数の分路リアクトルが全て前記電力線に接続されていないと判定し、且つ、前記第２判定部が、前記電力用コンデンサが前記電力線に接続されていると判定した場合、前記第１制御部は、前記負荷と前記電力線との間の区間を遮断するように前記遮断器を制御すること
を特徴とする請求項３に記載の電圧調整装置。
【請求項５】
複数の前記電力用コンデンサを前記電力線に接続する順序を前記第１電気所及び前記第２電気所毎に示す第２データが記憶される第２記憶部
を備え、
前記第１制御部は、前記第２データに応じた順序で複数の前記電力用コンデンサを前記電力線に接続するように制御すること
を特徴とする請求項１乃至４の何れかに記載の電圧調整装置。
【請求項６】
複数の前記負荷夫々と前記電力線との間の各区間を遮断する順序を前記第１電気所及び前記第２電気所毎に示す第３データが記憶される第３記憶部
を備え、
前記第１乃至第３制御部は、前記第３データに応じた順序で前記各負荷と前記電力線との間の各区間を遮断するように前記遮断器を制御すること
を特徴とする請求項２に記載の電圧調整装置。
【発明の詳細な説明】
【技術分野】
【０００１】
本発明は、電圧調整装置に関する。
【背景技術】
【０００２】
例えば、電力線に接続された負荷に対して電力を安定的に供給するように、電力線の電圧を調整するための監視制御装置（特許文献１）が知られている。
【先行技術文献】
【特許文献】
【０００３】
【特許文献１】特開平４−１２７８４２号公報
【発明の概要】
【発明が解決しようとする課題】
【０００４】
特許文献１の監視制御装置は、電力線を含む電力系統が負荷に対して電力を安定的に供給できる状態（以下、「安定状態」と称する）であるか否かを常時監視し、電力系統が安定状態になるように、例えば、調相器を制御している。この監視制御装置は、電力系統の有効電力と電圧との関係を示すＰＶ曲線を算出して、電力系統が安定状態であるか否かを監視している。このため、例えば電力線の電圧等を含む潮流情報を大量に取得し、煩雑な演算を迅速に行う必要があるため、高性能な計算機が必要となる。よって、この監視制御装置では、電力系統を安定状態とするためのコストが増大する虞がある。
【課題を解決するための手段】
【０００５】
前述した課題を解決する主たる本発明は、負荷に対して電力を供給するための電力線の電圧を測定する測定部と、前記電圧と前記負荷に供給される有効電力との関係を示すＰＶ曲線上における、前記ＰＶ曲線に沿って前記電圧が低下するにつれて前記有効電力が増加する安定領域内の電圧である第１電圧よりも、前記測定部で測定された前記電圧が低いか否かを判定する第１判定部と、前記電圧を上昇させる調相器が存在するか否かを判定する第２判定部と、前記電圧が、前記第１電圧より低い前記安定領域内の第２電圧よりも、低いか否かを判定する第３判定部と、前記電圧が、前記第１電圧と前記第２電圧との間の、前記安定領域内における第３電圧よりも低いか否かを判定する第４判定部と、前記調相器としての複数の分路リアクトルを遮断する順序を示す第１データが記憶される第１記憶部と、前記電圧が前記第１電圧よりも低いと判定され、且つ、前記調相器が存在すると判定された場合、前記電圧が前記第１電圧以上となるように、前記調相器を制御し、その後、前記電圧が前記第１電圧よりもまだ低いと判定された場合、前記負荷と前記電力線との間の区間を遮断するように遮断器を制御する第１制御部と、前記電圧が前記第１電圧よりも低いと判定され、且つ、前記調相器が存在しないと判定された場合、前記負荷と前記電力線との間の区間を遮断するように前記遮断器を制御する第２制御部と、前記電圧が前記第２電圧よりも低いと判定された場合、前記第１及び第２制御部の制御に関わらず、前記負荷と前記電力線との間の区間を遮断するように前記遮断器を制御する第３制御部と、を備え、前記第１判定部は、前記第１電圧と前記第２電圧との間の範囲において、前記電圧が前記第１電圧よりも低いものと判定し、前記第４判定部が、前記電圧が前記第３電圧よりも低いと判定し、且つ、前記第２判定部が、前記調相器として前記複数の分路リアクトルが前記電力線に接続されていると判定した場合、前記第１制御部は、前記複数の分路リアクトルを一括で遮断するように制御し、前記第４判定部が、前記電圧が前記第３電圧よりも高いと判定し、且つ、前記第２判定部が、前記複数の分路リアクトルが前記電力線に接続されていると判定した場合、前記第１制御部は、前記第１データに応じた順序で前記複数の分路リアクトルを選択的に遮断するように制御し、前記電力線は、第１電気所に配設される第１母線と、前記第１電気所とは異なる第２電気所に配設されるとともに前記第１母線と電気的に接続される第２母線とを含み、前記調相器は、前記第１母線の電圧を上昇させる第１調相器と、前記第２母線の電圧を上昇させる第２調相器を含み、前記第１データは、前記第１電気所及び前記第２電気所毎の前記順序を示し、前記測定部は、前記第１及び第２母線の電圧を夫々測定し、前記第１及び第２母線の電圧の何れが低いかを判定する第５判定部、を更に備え、前記第５判定部が、前記第１母線の電圧が前記第２母線の電圧よりも低いと判定した場合、前記第１制御部は、前記第１調相器を優先的に制御し、前記第５判定部が、前記第２母線の電圧が前記第１母線の電圧よりも低いと判定した場合、前記第１制御部は、前記第２調相器を優先的に制御することを特徴とする電圧調整装置である。
【０００６】
本発明の他の特徴については、添付図面及び本明細書の記載により明らかとなる。
【発明の効果】
【０００７】
本発明によれば、電力線の電圧を、電力を安定的に供給できる電圧に維持するコストを低減できる。
【図面の簡単な説明】
【０００８】
【図１】本発明の実施形態における電力系統を示す図である。
【図２】本発明の実施形態における電気所の詳細を示す図である。
【図３】本発明の実施形態における制御装置の機能を示すブロック図である。
【図４】本発明の実施形態における負荷の遮断順序を示す図である。
【図５】本発明の実施形態における分路リアクトルの遮断順序を示す図である。
【図６】本発明の実施形態における電力用コンデンサの投入順序を示す図である。
【図７】本発明の実施形態におけるＰＶ曲線を示す図である。
【図８】本発明の実施形態におけるＰＶ曲線の変化を示す図である。
【図９】本発明の実施形態における電圧低下が発生した場合の制御装置の動作を示すフローチャートである。
【発明を実施するための形態】
【０００９】
本明細書および添付図面の記載により、少なくとも以下の事項が明らかとなる。
【００１０】
＝＝＝電力系統＝＝＝
図１は、本実施形態における電力系統を示す図である。  
電力系統１００は、電気所１乃至３、送電線６１乃至６３を備えて構成される。
【００１１】
電気所１は、発電所（不図示）の発電機４から電力が供給される例えば一次変電所である。電気所２、３は、電気所１から電力が供給される、相互に同様な構成の例えば中間変電所である。電気所１と電気所２とは送電線６１で接続され、電気所１と電気所３とは送電線６２で接続され、電気所２と電気所３とは送電線６３で接続される。
【００１２】
電気所１は、遮断器（ＣＢ：Ｃｉｒｃｕｉｔ  Ｂｒａｅｋｅｒ）１０、１１、母線１２、変圧器１３を有している。変圧器１３は、送電線６０の電圧を降圧する装置である。遮断器１０、１１は夫々、送電線６１、６２夫々で例えば短絡事故等の系統事故が発生した際、送電線６１、６２夫々と母線１２との間の区間を遮断する装置である。変圧器１３の一次側は、送電線６０によって発電機４が接続される。変圧器１３の二次側は、母線１２に接続される。母線１２には、遮断器１０、１１夫々を介して送電線６１、６２の一端夫々が接続される。
【００１３】
電気所２は、遮断器２０、２１、２４、母線２２（電力線）、変圧器２３、測定装置２５（測定部）、測定装置２９、電力用コンデンサ（ＳＣ：Ｓｔａｔｉｃ  Ｃｏｎｄｅｎｓｅｒ）２６、分路リアクトル（ＳｈＲ：Ｓｈｕｎｔ  Ｒｅａｃｔｏｒ）２７を有している。変圧器２３は、送電線６１の電圧を降圧する装置である。遮断器２０、２１は夫々、送電線６１、６３夫々で例えば短絡事故等の系統事故が発生した際、送電線６１、６３夫々と母線２２との間の区間を遮断する装置である。測定装置２５は、母線２２の電圧を測定する装置である。測定装置２９は、変圧器２３の一次側の電流を測定する装置である。電力用コンデンサ２６、分路リアクトル２７は、母線２２の電圧を調整する装置である。電力用コンデンサ２６、分路リアクトル２７は、制御装置５によって制御される。尚、電力用コンデンサ２６、分路リアクトル２７、制御装置５の詳細については後述する。遮断器２４は、負荷２８と母線２２との間の区間を遮断する装置である。尚、遮断器２４、負荷２８の詳細については後述する。変圧器２３の一次側は、遮断器２０を介して送電線６１の他端に接続される。測定装置２９は、変圧器２３の一次側に設けられる。母線２２には、測定装置２５、電力用コンデンサ２６、分路リアクトル２７が設けられる。母線２２には、遮断器２１、２４夫々を介して、送電線６３の一端、負荷２８が接続される。
【００１４】
電気所３は、遮断器３０、３１、３４、母線３２（電力線）、変圧器３３、測定装置３５（測定部）、測定装置３９、電力用コンデンサ３６、分路リアクトル３７を有している。尚、制御装置５、測定装置２５、３５が電圧調整装置に相当する。電力用コンデンサ２６、３６、分路リアクトル２７、３７が調相器に相当する。変圧器３３は、送電線６２の電圧を降圧する装置である。遮断器３０、３１は夫々、送電線６２、６３夫々で例えば短絡事故等の系統事故が発生した際、送電線６２、６３夫々と母線３２との間の区間を遮断する装置である。測定装置３５は、母線３２の電圧を測定する装置である。測定装置３９は、変圧器３３の一次側の電流を測定する装置である。電力用コンデンサ３６、分路リアクトル３７は、母線３２の電圧を調整する装置である。電力用コンデンサ３６、分路リアクトル３７は、制御装置５によって制御される。尚、電力用コンデンサ３６、分路リアクトル３７、制御装置５の詳細については後述する。遮断器３４は、負荷３８と母線３２との間の区間を遮断する装置である。尚、遮断器３４、負荷３８の詳細については後述する。変圧器３３の一次側は、遮断器３０を介して送電線６２の他端に接続される。測定装置３９は、変圧器３３の一次側に設けられる。母線３２には、測定装置３５、電力用コンデンサ３６、分路リアクトル３７が設けられる。母線３２には、遮断器３１、３４夫々を介して、送電線６３の他端、負荷３８が接続される。
【００１５】
＝＝＝電気所、電力用コンデンサ、分路リアクトル、負荷＝＝＝
以下、図１、図２を参照して、本実施形態における電気所、電力用コンデンサ、分路リアクトル、負荷について説明する。
【００１６】
図２は、本実施形態における電気所の詳細を示す図である。尚、図１における遮断器２４、負荷２８、電力用コンデンサ２６、分路リアクトル２７は夫々、説明の便宜上、例えば３個ずつ設けられているものとする。遮断器２４１、２４２、２４３が遮断器２４に対応し、負荷２８１、２８２、２８３が負荷２８に対応し、電力用コンデンサ２６１、２６２、２６３が電力用コンデンサ２６に対応し、分路リアクトル２７１、２７２、２７３が分路リアクトル２７に対応するものとする。又、制御信号Ｄ２４１、Ｄ２４２、Ｄ２４３が制御信号Ｄ２４に対応し、制御信号Ｄ２６１、Ｄ２６２、Ｄ２６３が制御信号Ｄ２６に対応し、制御信号Ｄ２７１、Ｄ２７２、Ｄ２７３が制御信号Ｄ２７に対応するものとする。
【００１７】
電気所２は、遮断器２０、２１、２４１、２４２、２４３、母線２２、変圧器２３、測定装置２５、２９、電力用コンデンサ２６１、２６２、２６３、分路リアクトル２７１、２７２、２７３を有している。
【００１８】
測定装置２９は、変圧器２３の一次側の電圧を測定し、その測定結果を示す測定情報Ｍ２９を送信する。測定装置２５は、母線２２の電圧を測定し、その測定結果を示す測定情報Ｍ２５を送信する。
【００１９】
電力用コンデンサ２６１乃至２６３は、母線２２の電圧を調整するための無効電力が母線２２に供給されるように母線２２に選択的に接続されたり、母線２２から遮断されたりする。電力用コンデンサ２６１乃至２６３は夫々、例えば容量が異なるものとする。尚、例えば、電力用コンデンサ２６２の容量は、電力用コンデンサ２６１の容量よりも大きく、電力用コンデンサ２６３の容量は、電力用コンデンサ２６２の容量よりも大きいものとする。電力用コンデンサ２６１乃至２６３は、電力用コンデンサ２６１乃至２６３夫々を母線２２に接続したり、電力用コンデンサ２６１乃至２６３夫々と母線２２との間の区間を遮断したりするスイッチ（不図示）を介して母線２２に接続される。尚、電力用コンデンサ２６１と母線２２との間のスイッチ、電力用コンデンサ２６２と母線２２との間のスイッチ、電力用コンデンサ２６３と母線２２との間のスイッチを夫々、「電力用コンデンサ２６１のスイッチ」、「電力用コンデンサ２６２のスイッチ」、「電力用コンデンサ２６３のスイッチ」というものとする。電力用コンデンサ２６１のスイッチ、電力用コンデンサ２６２のスイッチ、電力用コンデンサ２６３のスイッチ夫々の開閉は、制御装置５から送信される制御信号Ｄ２６１乃至Ｄ２６３によって制御される。
【００２０】
例えば、母線２２の電圧を上昇させる場合、電力用コンデンサ２６１乃至２６３のスイッチを閉じて、電力用コンデンサ２６１乃至２６３は母線２２に接続される。一方、例えば、母線２２の電圧を低下させる場合、電力用コンデンサ２６１乃至２６３のスイッチを開いて、電力用コンデンサ２６１乃至２６３と母線２２との間の区間は遮断される。尚、電力用コンデンサ２６１乃至２６３を母線２２に接続することを、「電力用コンデンサ２６１乃至２６３を投入する」といい、電力用コンデンサ２６１乃至２６３と母線２２との間の区間を遮断することを、「電力用コンデンサ２６１乃至２６３を遮断する」というものとする。
【００２１】
分路リアクトル２７１乃至２７３は、母線２２の電圧を調整するための無効電力が母線２２に供給されるように母線２２に接続されたり、母線２２から遮断されたりする。分路リアクトル２７１乃至２７３は夫々、例えば容量が異なるものとする。尚、例えば、分路リアクトル２７２の容量は、分路リアクトル２７１の容量よりも大きく、分路リアクトル２７３の容量は、分路リアクトル２７２の容量よりも大きいものとする。分路リアクトル２７１乃至２７３は、分路リアクトル２７１乃至２７３夫々を母線２２に接続したり、分路リアクトル２７１乃至２７３夫々と母線２２との間の区間を遮断したりするスイッチ（不図示）を介して母線２２に接続される。尚、分路リアクトル２７１と母線２２との間のスイッチ、分路リアクトル２７２と母線２２との間のスイッチ、分路リアクトル２７３と母線２２との間のスイッチを夫々、「分路リアクトル２７１のスイッチ」、「分路リアクトル２７２のスイッチ」、「分路リアクトル２７３のスイッチ」というものとする。分路リアクトル２７１のスイッチ、分路リアクトル２７２のスイッチ、分路リアクトル２７３のスイッチ夫々の開閉は、制御装置５から送信される制御信号Ｄ２７１乃至Ｄ２７３によって制御される。
【００２２】
例えば、母線２２の電圧を上昇させる場合、分路リアクトル２７１乃至２７３のスイッチを開いて、分路リアクトル２７１乃至２７３と母線２２との間の区間は遮断される。尚、分路リアクトル２７１乃至２７３と母線２２との間の区間は夫々選択的に遮断されたり、一括で遮断されたりする。一方、例えば、母線２２の電圧を低下させる場合、分路リアクトル２７１乃至２７３のスイッチを閉じて、分路リアクトル２７１乃至２７３は母線２２に接続される。尚、分路リアクトル２７１乃至２７３を母線２２に接続することを、「分路リアクトル２７１乃至２７３を投入する」といい、分路リアクトル２７１乃至２７３と母線２２との間の区間を遮断することを、「分路リアクトル２７１乃至２７３を遮断する」というものとする。
【００２３】
負荷２８１乃至２８３は、母線２２の電力によって動作する、例えば工場等に設けられた電気機器である。負荷２８１乃至２８３は夫々、遮断器２４１乃至２４３を介して母線２２に接続される。遮断器２４１乃至２４３を夫々閉じた場合、負荷２８１乃至２８３は夫々母線２２に接続される。遮断器２４１乃至２４３を夫々開いた場合、負荷２８１乃至２８３夫々と母線２２との間の区間は夫々遮断される。尚、負荷２８１乃至２８３と母線２２との間の区間を遮断することを、「負荷２８１乃至２８３を遮断する」というものとする。尚、遮断器２４１乃至２４３夫々の開閉は、制御信号Ｄ２４１乃至Ｄ２４３によって制御される。  
尚、電気所３の構成は、電気所２の構成と同様であるので、その説明は省略する。
【００２４】
＝＝＝制御装置＝＝＝
以下、図１を参照して、本実施形態における制御装置について説明する。  
制御装置５は、例えば、送電線６１、６２で系統事故が発生した際、設備過負荷を解消したり、母線２２、３２の電圧低下を解消したりするための装置である。
【００２５】
ここで、設備過負荷とは、例えば変圧器２３、３３の一次側に対して変圧器２３、３３の許容値以上の電流が流れることを示す。例えば、送電線６１で短絡事故が発生して、遮断器１０、２０が開いた場合、負荷２８に対しては、電気所１から電気所３を介して電力が供給されることになる。その際、例えば電気所３の変圧器３３の一次側に変圧器３３の許容値以上の電流が流れて、設備過負荷が発生することがある。
【００２６】
母線２２の電圧低下とは、母線２２の電圧が第１電圧よりも低くなることを示す。尚、第１電圧の詳細については後述する。例えば、送電線６１で短絡事故が発生して、遮断器１０、２０が開いた場合、電気所１から電気所２に対して無効電力が供給されずに、母線２２の電圧が第１電圧よりも低くなり、母線２２の電圧低下が発生することがある。尚、母線３２の電圧低下は、母線２２の電圧低下と同様であるので、その説明は省略する。
【００２７】
制御装置５は、例えば電気所１に設けられる。尚、制御装置５は、電気所２、３に設けても、電力系統１００の装置を集中制御する制御所（不図示）に設けてもよい。制御装置５は、測定装置２５、２９、３５、３９から夫々測定情報Ｍ２５、Ｍ２９、Ｍ３５、Ｍ３９を受信する。制御装置５は、遮断器２４、３４の開閉を制御するための制御信号Ｄ２４、Ｄ３４を送信する。制御装置５は、電力用コンデンサ２６、３６を投入したり、分路リアクトル２７、３７を遮断するための制御信号Ｄ２６、Ｄ３６、Ｄ２７、Ｄ３７を送信する。制御装置５は、電力用コンデンサ２６、３６、分路リアクトル２７、３７が投入されているか否かを確認するための、開閉確認装置（不図示）から、電力用コンデンサ２６、３６、分路リアクトル２７、３７が投入されているか否かを示す投入情報を受信する。制御装置５は、遮断器１０、１１、２０、２１、３０、３１の開閉を示す開閉情報を、遮断器１０、１１、２０、２１、３０、３１の開閉を制御する保護継電器（不図示）や、開閉確認装置（不図示）等から受信する。
【００２８】
＝＝＝制御装置の機能＝＝＝
以下、図１乃至図６を参照して、本実施形態における制御装置の機能について説明する。  
図３は、本実施形態における制御装置の機能を示すブロック図である。図４は、本実施形態における負荷の遮断順序を示す図である。尚、負荷３８１乃至３８３は、負荷３８に対応する負荷である。図５は、本実施形態における分路リアクトルの遮断順序を示す図である。尚、分路リアクトル３７１乃至３７３は、分路リアクトル３７に対応する分路リアクトルである。図６は、本実施形態における電力用コンデンサの投入順序を示す図である。尚、電力用コンデンサ３６１乃至３６３は、電力用コンデンサ３６に対応する電力用コンデンサである。
【００２９】
制御装置５は、送受信部５１、事故検出部５２、記憶部５３、入力部５４、電圧判定部５５（第１判定部、第３判定部、第４判定部、第５判定部）、投入判定部５６（第２判定部）、順序決定部５７、制御部５８（第１制御部、第２制御部、第３制御部）を有している。
【００３０】
送受信部５１は、測定情報Ｍ２５、Ｍ２９、Ｍ３５、Ｍ３９、投入情報、開閉情報を受信する。送受信部５１は、制御信号Ｄ２４、Ｄ３４、Ｄ２６、Ｄ３６、Ｄ２７、Ｄ３７を送信する
事故検出部５２は、開閉情報や保護継電器の動作情報等に基づいて、系統事故の発生を検出する。
【００３１】
記憶部５３は、例えば第１の領域５３１、第２の領域５３２、第３の領域５３３、第４の領域５３４（第１記憶部、第２記憶部、第３記憶部）を有する。第１の領域５３１には、制御装置５を制御するためのプログラムが記憶されている。第２の領域５３２には、第１電圧乃至第４電圧が記憶されている。第１電圧乃至第４電圧は、通常、第１電圧、第４電圧、第３電圧、第２電圧の順に低くなるように設定される。第１電圧は、定格電圧未満ではあるものの、負荷２８１乃至２８３、３８１乃至３８３（以下、「各負荷」と称する）に対して電力を安定的に供給できる電圧とする。第２電圧は、各負荷に対する電力の供給が不安定となるＰＶ曲線上の所定の低め解に相当する電圧よりも高い電圧とする。尚、ＰＶ曲線、低め解の詳細については後述する。第３電圧は、分路リアクトル２７１乃至２７３、３７１乃至３７３（以下、「各分路リアクトル」と称する）を一括遮断するか否かを判定するための電圧である。第４電圧は、各負荷を遮断するか否かを判定するための電圧である。第３の領域５３３には、電力系統１００で系統事故が発生した際、母線２２、３２の電力低下を監視する時間を示す監視時間情報が記憶される。第３の領域５３３には、変圧器２３、３３の一次側に流れる電流の許容値を示す許容電流値情報が記憶される。第４の領域５３４には、各負荷を遮断する順序を示す順序情報Ｔ１（第３データ）、各分路リアクトルを遮断する順序を示す順序情報Ｔ２（第１データ）、電力用コンデンサ２６１乃至２６３、３６１乃至３６３（以下、「各電力用コンデンサ」と称する）を投入する順序を示す順序情報Ｔ３（第２データ）が記憶されている。尚、順序情報Ｔ１には、各負荷と、各負荷が接続される母線が設けられる電気所と、各負荷の遮断順序とが対応付けられている。順序情報Ｔ２には、各分路リアクトルと、各分路リアクトルが設けられる電気所と、各分路リアクトルの遮断順序とが対応付けられている。順序情報Ｔ３には、各電力用コンデンサと、各電力用コンデンサが設けられる電気所と、各電力用コンデンサ夫々の投入順序とが対応付けられている。
【００３２】
入力部５４は、制御装置５に対して情報を入力するための例えばキーボード装置である。
【００３３】
電圧判定部５５は、母線２２、３２の電圧が第１電圧よりも低いか否か、第２電圧よりも低いか否か、第３電圧よりも低いか否か、第４電圧よりも低いか否かを判定する。電圧判定部５５は、母線２２、３２の電圧のうち、何れが低いかを判定する。電圧判定部５５は、変圧器２３、３３の一次側の電圧が変圧器２３、３３の定格電圧よりも高いか否かを判定する。
【００３４】
投入判定部５６は、各電力用コンデンサのうち遮断されている電力用コンデンサが存在するか否かを判定する。投入判定部５６は、各分路リアクトルのうち投入されている分路リアクトルが存在するか否かを判定する。
【００３５】
順序決定部５７は、順序情報Ｔ１乃至Ｔ３、母線２２、３２の電圧のうち何れが低いかの判定結果に基づいて、各負荷、各分路リアクトルの遮断順序、各電力用コンデンサの投入順序を決定する。尚、順序決定部５７の詳細については後述する。
【００３６】
時間判定部５９は、タイマ（不図示）に基づいて、事故検出部５２によって系統事故の発生を検出されてから経過した時間が、監視時間情報に示された時間を経過したか否かを判定する。
【００３７】
制御部５８は、第１の領域５３１に記憶されたプログラムに基づいて、制御信号Ｄ２４、Ｄ３４、Ｄ２６、Ｄ３６、Ｄ２７、Ｄ３７を、送受信部５１から送信する。
【００３８】
＝＝＝ＰＶ曲線、低め解＝＝＝
以下、図１、図７、図８を参照して、本実施形態におけるＰＶ曲線、低め解について説明する。図７は、本実施形態におけるＰＶ曲線を示す図である。図８は、本実施形態におけるＰＶ曲線の変化を示す図である。
【００３９】
図７に示されるＰＶ曲線は、例えば、母線２２の電圧と、母線２２から負荷２８に供給される有効電力との関係を示すものとする。例えば、負荷２８が遮断された場合、負荷２８のインピーダンスが無限大となり、負荷２８に供給される電流はゼロとなるために、負荷２８の有効電力はゼロとなる。又、この際、負荷２８で電圧降下は生じないので、母線２２の電圧は例えば電圧Ｖ１となる。負荷２８が母線２２に接続された場合、負荷２８のインピーダンスは無限大から低下し、母線２２から負荷２８に電流が供給される。このため、負荷２８の有効電力は増加し、母線２２の電圧は低下する。また、負荷２８のインピーダンスがゼロの場合、負荷２８に印加される電圧もゼロのとなるので、負荷２８の有効電力はゼロとなる。よって、図７に示されるＰＶ曲線においては、負荷２８の有効電力が最大となるノーズ端Ｎ１が存在することになる。母線２２の電圧がノーズ端Ｎ１の電圧Ｖ２よりも高い安定領域では、負荷２８のインピーダンスの減少に応じて、ＰＶ曲線に沿って母線２２の電圧が低下しつつ負荷２８の有効電力は増加する。よって、母線２２の電圧が安定領域の電圧の場合、負荷２８に対して安定的に電力を供給できる状態となる。一方、母線２２の電圧がノーズ端Ｎ１の電圧Ｖ２より低い不安定領域では、負荷２８のインピーダンスの減少に応じて、母線２２の電圧も負荷２８の有効電力も低下する。よって、母線２２の電圧が不安定領域の電圧の場合、負荷２８に対する電力の供給が不安定となる。ＰＶ曲線において、例えば、所定の有効電力Ｐｒを負荷２８に供給する際の電圧として、安定領域の電圧Ｖ３、不安定領域の電圧Ｖ４が存在する。この安定領域の電圧Ｖ３が高め解であり、不安定領域の電圧Ｖ４が低め解である。
【００４０】
負荷２８に対して所定の有効電力Ｐｒを供給するための母線２２の電圧が、低め解に相当する電圧Ｖ４である場合、負荷２８に対して安定的に電力を供給するために、母線２２の電圧を高め解に相当する電圧Ｖ３とする必要がある。その場合、負荷２８のインピーダンスを、所定の有効電力Ｐｒとノーズ端Ｎ１の有効電力Ｐｒ１との差分に対応した量だけ増加させる必要がある。つまり、負荷２８を遮断して負荷２８のインピーダンスを増加させる必要がある。
【００４１】
ここで、例えば、母線２２の電圧を上昇させる際、電力用コンデンサ２６、分路リアクトル２７によって母線２２の無効電力を調整して母線２２の電圧を上昇（以下、「調相器による電圧上昇」称する）させることがある。この場合、図８に示されるように、調相器による電圧上昇を行ったＰＶ曲線（実線のＰＶ曲線）ノーズ端Ｎ２が、調相器による電圧上昇を行っていないＰＶ曲線（点線のＰＶ曲線）のノーズ端Ｎ１から白抜き矢印の方向へ移動するように、ＰＶ曲線が変化する。よって、例えば、調相器による電圧上昇を行った場合、母線２２の電圧を低め解に相当する電圧から高め解に相当する電圧にする際、負荷２８のインピーダンスを、所定の有効電力Ｐｒとノーズ端Ｎ１の有効電力Ｐｒ１との差分に対応した量よりも多い、所定の有効電力Ｐｒとノーズ端Ｎ２の有効電力Ｐｒ２との差分に対応した量だけ増加させることが必要となる。つまり、より多くの負荷を遮断することが必要となる。従って、母線２２の電圧が低め解の可能性がある場合、調相器による電圧上昇を行わずに、負荷２８を遮断して、母線２２の電圧を上昇させることが望ましい。
【００４２】
＝＝＝順序決定部＝＝＝
以下、図１乃至図６を参照して、本実施形態における順序決定部について説明する。  
順序決定部５７は、設備過負荷が発生した場合、電圧低下が発生した場合、設備過負荷と電圧低下とが同時に発生した場合、順序情報Ｔ１乃至Ｔ３に基づいて、各負荷、各分路リアクトルを遮断する順序、各電力用コンデンサを投入する順序を決定する。尚、順序情報Ｔ１乃至Ｔ３は、図４乃至図６に示されるように、順序が電気所毎に設けられているものとする。順序情報Ｔ２、Ｔ３の順序の決定は、順序情報Ｔ１の順序の決定と同様であるので、順序情報Ｔ１の順序の決定についてのみ説明し、順序情報Ｔ２、Ｔ３の順序の決定についてはその説明を省略するものとする。負荷２８１乃至２８３、３８１乃至３８３の消費電力は、負荷２８１乃至２８３、３８１乃至３８３の順に大きくなっているものとして、説明する。
【００４３】
＜設備過負荷が発生した場合＞
順序決定部５７は、電気所２、３のうち何れの電気所に対応付けられた負荷であるかに関わらず、順序情報Ｔ１に示される順序に基づいて、各負荷を遮断する順序を決定する。順序情報Ｔ１に示された遮断順序が同じ場合、各負荷が例えば消費電力の大きい負荷から順次遮断する方法や、又は、ランダムに順次遮断する等の方法により、順序決定部５７は、各負荷の遮断順序を決定するものとする。例えば、消費電力の大きい負荷から順次遮断する場合、順序決定部Ｔ１は、負荷３８１、負荷２８１、負荷３８３、負荷３８２、負荷２８３、負荷２８２の順序で遮断されるように、遮断順序を決定する。
【００４４】
＜電圧低下が発生した場合＞
順序決定部５７は、電圧の低い電気所に対応付けられた負荷から優先的に遮断されるように、各負荷の遮断順序を決定する。順序情報Ｔ１に示された遮断順序が同じ場合、各負荷が例えば消費電力の大負荷から順次順序で遮断されるように、順序決定部５７は、各負荷の遮断順序を決定するものとする。例えば、電圧低下が発生し、且つ、母線２２の電圧が母線３２の電圧より低く、各負荷を例えば消費電力の大きい負荷から順次遮断する場合、順序決定部５７は、負荷２８１、負荷２８３、負荷２８２、負荷３８１、負荷３８３、負荷３８２の順序で遮断されるように、遮断順序を決定する。尚、電圧低下が発生した場合、順序決定部５７は、負荷が遮断される都度遮断順序の決定を行うものとする。
【００４５】
＜設備過負荷と電圧低下とが同時に発生した場合＞
順序決定部５７は、電気所２、３のうち何れの電気所に対応付けられた負荷であるかに関わらず、順序情報Ｔ１に示される順序に基づいて、各負荷を遮断する順序を決定する。順序情報Ｔ１に示された遮断順序が同じ場合、順序決定部５７は、電圧の低い電気所に対応付けられた負荷から優先的に遮断されるように、各負荷の遮断順序を決定するものとする。対応付けられた電気所が同じであり、且つ、順序情報Ｔ１に示された遮断順序が同じ場合、各負荷が例えば消費電力の大きな負荷から順次遮断する方法や、ランダムに順次遮断する方法により、順序決定部５７は、各負荷の遮断順序を決定するものとする。例えば、各負荷の消費電力の大きい負荷から順次遮断する場合、設備過負荷と電圧低下とが同時に発生し、且つ、母線２２の電圧が母線３２の電圧より低い場合、順序決定部５７は、負荷２８１、負荷３８１、負荷２８３、負荷２８２、負荷３８３、負荷３８２の順序で遮断されるように、遮断順序を決定する。
【００４６】
＝＝＝動作＝＝＝
以下、図１乃至図９を参照して、本実施形態における制御装置の動作について説明する。図９は、本実施形態のおける電圧低下が発生した場合の制御装置の動作を示すフローチャートである。  
例えば、送電線６１で短絡事故が発生し、ＣＢ１０、ＣＢ２０が遮断され、母線２２で電圧低下が発生した場合、変圧器３３の一次側に変圧器３３の許容電流以上の電流が流れて設備過負荷が発生した場合、設備過負荷と電圧低下とが同時に発生した場合に分けて、制御装置の動作について説明する。尚、母線２２の電圧は、母線３２の電圧よりも低くなっているものとする。
【００４７】
＜電圧低下が発生した場合＞
事故検出部５２によって、電力系統１００で系統事故の発生が検出されて、第１の領域５３１に記憶されたプログラムの実行が開始され、制御装置５が電力系統１００の電圧低下を解消するための制御を開始したところから説明する。
【００４８】
制御装置５は、事故検出部５２によって系統事故の発生を検出されてから経過した時間（以下、「経過時間」と称する）が、監視時間情報に示された時間を経過したか否かを判定する（ステップＳ１）。例えば、経過時間が監視時間情報に示された時間を経過したと判定された場合（ステップＳ１のＹＥＳ）、制御装置５は、制御動作を終了する。一方、例えば、経過時間が監視時間情報に示された時間を経過していないと判定された場合、制御装置５は、母線２２の電圧が第１電圧よりも低いか否かを判定する。例えば、母線２２の電圧が第１電圧よりも低くないと判定された場合（ステップＳ２のＮＯ）、上記ステップＳ１の判断を再度行う。一方、例えば、母線２２の電圧が第１電圧よりも低いと判定された場合（ステップＳ２のＹＥＳ）、制御装置５は、母線２２の電圧が第２電圧よりも低いか否かを判定する（ステップＳ３）。例えば、母線２２の電圧が第２電圧よりも低くないと判定された場合（ステップＳ３のＮＯ）、制御装置５は、各分路リアクトルのうち投入されている分路リアクトルが存在するか否かを判定する（ステップＳ４）。
【００４９】
例えば、投入されている分路リアクトルが存在すると判定された場合（ステップＳ４のＹＥＳ）、制御装置５は、母線２２の電圧が第３電圧よりも低いか否かを判定する（ステップＳ５）。例えば、母線２２の電圧が第３電圧よりも低いと判定された場合（ステップＳ５のＹＥＳ）、制御装置５は、各分路リアクトルのスイッチを開く制御命令Ｄ２７、Ｄ３７を送信した（ステップＳ６）後、ステップＳ２の判断を再度行う。各分路リアクトルのスイッチが開いて、各分路リアクトルは一括で遮断される。一方、例えば、母線２２の電圧が第３電圧よりも低くないと判定された場合（ステップＳ５のＮＯ）、制御装置５は、順序決定部５７が決定した遮断順序に基づいて、例えば分路リアクトル２７１のスイッチを開く制御命令Ｄ２７１を送信した（ステップＳ７）後、ステップＳ２の判断を再度行う。分路リアクトル２７１のスイッチが開いて、分路リアクトル２７１は遮断される。
【００５０】
一方、例えば、投入されている分路リアクトルが存在しないと判定された場合（ステップＳ４のＮＯ）、制御装置５は、各電力用コンデンサのうち遮断されている電力用コンデンサが存在するか否かを判定する（ステップＳ８）。例えば、遮断されている電力用コンデンサが存在すると判定された場合（ステップＳ８のＹＥＳ）、制御装置５は、順序決定部５７が決定した投入順序に基づいて、例えば電力用コンデンサ２６１のスイッチを閉じる制御命令Ｄ２６１を送信（ステップＳ９）後、ステップＳ２の判断を再度行う。電力用コンデンサ２６１のスイッチが閉じて、電力用コンデンサ２６１は投入される。一方、例えば、遮断されている電力用コンデンサが存在しないと判定された場合（ステップＳ８のＮＯ）、制御装置５は、母線２２の電圧が第４電圧よりも低いか否かを判定する（ステップＳ１０）。例えば、母線２２の電圧が第４電圧よりも低いと判定された場合（ステップＳ１０のＹＥＳ）、制御装置５は、順序決定部５７が決定した遮断順序に基づいて、例えば遮断器２４１を開く制御命令Ｄ２４１を送信した（ステップＳ１１）後、ステップＳ２の判断を再度行う。負荷２８１と母線２２との間の区間は、遮断器２４１によって遮断される。一方、例えば、母線２２の電圧が第４電圧よりも低くないと判定された場合（ステップＳ１０のＮＯ）、ステップＳ１の判断を再度行う。
【００５１】
例えば、上記ステップＳ３の判断で、母線２２の電圧が第２電圧よりも低いと判定された場合（ステップＳ３のＹＥＳ）、制御装置５は、上記ステップＳ１０の判断を行う。
【００５２】
＜設備過負荷が発生した場合＞
制御装置５は、順序決定部５７が決定した遮断順序に基づいて、例えば遮断器３４１を開く制御命令Ｄ３４１を送信する。負荷３８１と母線３２との間の区間は、遮断器３４１によって遮断される。その後、制御装置５は、電圧判定部５５によって、例えば変圧器３３の一次側の電圧が変圧器３３の定格電圧よりも高くないと判定されるまで、各負荷を遮断する。
【００５３】
＜設備過負荷と電圧低下とが同時に発生した場合＞
制御装置５は、順序決定部５７が決定した遮断順序に基づいて、例えば遮断器２４１を開く制御命令Ｄ２４１を送信する。負荷２８１と母線２２との間の区間は、遮断器２４１によって遮断される。その後、例えば、電圧低下が解消された場合、制御装置５は、上記の設備過負荷が発生した場合と同様な制御を行う。一方、例えば、設備過負荷が解消された場合、制御装置５は、上記の電圧低下が発生した場合と同様な制御を行う。
【００５４】
前述したように、測定装置２５は母線２２の電圧を測定する。電圧判定部５５は、母線２２の電圧が各負荷に対して電力を安定的に供給できる第１電圧よりも低いか否かを判定する。投入判定部５６は、遮断されている電力用コンデンサが存在するか否かを判定する。投入判定部５６は、投入されている分路リアクトルが存在するか否かを判定する。例えば、母線２２の電圧が第１電圧よりも低いと判定され、且つ、遮断されている電力用コンデンサ、投入されている分路リアクトルが存在すると判定された場合、制御部５８は、母線２２の電圧が第１電圧以上となるように、各電力用コンデンサを投入したり、各分路リアクトルを遮断したりする。その後、母線２２の電圧が未だ第１電圧よりも低いと判定された場合、制御部５８は、各負荷を遮断する。一方、例えば、母線２２の電圧が第１電圧よりも低いと判定され、且つ、遮断されている電力用コンデンサ、投入されている分路リアクトルが存在しないと判定された場合、制御部５８は、各負荷を遮断する。従って、母線２２の電圧が第１電圧より低いと判定された場合、制御装置５は、母線２２の電圧が第１電圧以上となるように、各電力用コンデンサを投入したり、各分路リアクトル、各負荷を遮断したりする。よって、母線２２の電圧低下を確実に解消できる。又、各負荷を遮断する前に、各電力用コンデンサを投入したり、各分路リアクトルを遮断したりするので、各負荷への電力の供給を維持した状態で、母線２２の電圧が第１電圧以上となるように調整できる。従って、電力系統１００の信頼度を向上できる。又、例えば、母線２２の電圧低下を解消するための煩雑な演算を行う必要がないので、母線２２の電圧低下をシンプルな構成で確実に解消できる。よって、母線２２の電圧を、各負荷に対して電力を安定的に供給できる第１電圧以上に維持するコストを低減できる。
【００５５】
又、電圧判定部５５は、母線２２の電圧が、各負荷に対する電力の供給が不安定となるＰＶ曲線上の所定の低め解に相当する電圧よりも高い第２電圧よりも低いか否かを判定する。母線２２の電圧が第２電圧よりも低いと判定された場合、制御部５８は、各電力用コンデンサを投入したり、各分路リアクトルを遮断したりせずに、各負荷を遮断する。よって、例えば、母線２２の電圧が低め解となっている可能性があるため、各負荷の遮断が必要なときに、各負荷を遮断して、母線２２の電圧低下を確実に解消できる。又、母線２２の電圧が低め解の可能性があるか否かによって、調相器による電圧上昇を行うか否かを判断できるので、実際に低め解となっていることを確認するための煩雑な演算を行う必要がない。従って、母線２２の電圧を、第１電圧以上に維持するコストを更に低減できる。又、母線２２の電圧が低め解の可能性がある場合、制御部５８は、調相器による電圧上昇を行わずに各負荷を遮断する。よって、母線２２の電圧を低め解から高め解に上昇させる際に遮断する負荷の数を低減できる。従って、電力系統１００の信頼度を向上できる。
【００５６】
又、電圧判定部５５は、母線２２の電圧が、第１電圧と第２電圧との間の第３電圧よりも低いか否かを判定する。例えば、母線２２の電圧が第３電圧よりも低いと判定され、且つ、投入されている分路リアクトルが存在すると判定された場合、制御部５８は、各分路リアクトルを一括で遮断する。一方、例えば、母線２２の電圧が第３電圧よりも低くないと判定され、且つ、各分路リアクトルが存在すると判定された場合、制御部５８は、各分路リアクトルを選択的に遮断する。よって、母線２２の電圧が第３電圧よりも低いと判定された場合、投入されている分路リアクトルの一括遮断によって、母線２２の電圧低下を早期に解消できる。母線２２の電圧が第３電圧よりも低くないと判定された場合、投入されている分路リアクトルを選択的に遮断することによって、分路リアクトルの無駄な遮断を防止し、母線２２の電圧低下を確実に解消できる。
【００５７】
又、投入されている分路リアクトルが存在しないと判定され、且つ、遮断されている電力用コンデンサが存在すると判定されたされた場合、制御部５８は、各電力用コンデンサを投入する。よって、制御部５８は、例えば、各電力用コンデンサの投入よりも、各分路リアクトルの遮断の方が、母線２２の電圧の上昇に効果的な場合、各電力用コンデンサの投入の前に、各分路リアクトルの遮断を行うことによって、母線２２の電圧を確実に第１電圧以上にすることができる。又、各電力用コンデンサの投入よりも、各分路リアクトルの遮断を優先的に行うことにより、母線２２に接続される調相器の数を低減できる。よって、調相器の鉄損による母線２２の電力損失を低減できる。又、調相器の故障に起因する電力系統１００での事故を低減して、電力系統１００の信頼度を更に向上できる。
【００５８】
又、投入されている分路リアクトルが存在しないと判定され、且つ、遮断されている電力用コンデンサが存在しないと判定されたされた場合、制御部５８は、各負荷を遮断する。よって、母線２２の電圧を確実に第１電圧以上にすることができる。
【００５９】
又、各分路リアクトルを遮断する順序を示す順序情報Ｔ２が、第４の領域５３４に記憶される。制御部５８は、順序情報Ｔ２に応じた順序で、各分路リアクトルを遮断する。よって、例えば、順序情報Ｔ２に示される順序を、各分路リアクトルの容量に基づいて設定することによって、母線２２の電圧を早急に上昇させたり、母線２２の電圧を徐々に上昇させたりできる。よって、各分路リアクトルを遮断する優先順位に基づいて、母線２２の電圧を確実に第１電圧以上にすることができる。
【００６０】
又、各負荷を遮断する順序を示す順序情報Ｔ１が、第４の領域５３４に記憶される。制御部５８は、順序情報Ｔ１に応じた順序で、各負荷を遮断する。よって、負荷の遮断順序を任意に設定することもできる。
【００６１】
又、母線２２、３２は夫々、電気所２、３に配設される。母線２２は送電線６３によって母線３２と電気的に接続される。電力用コンデンサ２６の投入、分路リアクトル２７の遮断は、母線２２の電圧を上昇させ、電力用コンデンサ３６の投入、分路リアクトル３７の遮断は、母線３２の電圧を上昇させる。測定装置２５、３５は夫々、母線２２、３２の電圧を測定する。電圧判定部５５は、母線２２、３２の電圧のうち、何れが低いかを判定する。例えば、母線２２の電圧が母線３２の電圧より低いと判定された場合、制御部５８は、分路リアクトル２７の遮断、電力用コンデンサ２６の投入を行う。一方、例えば、母線３２の電圧が母線２２の電圧より低いと判定された場合、制御部５８は、分路リアクトル３７の遮断、電力用コンデンサ３６の投入を行う。よって、電圧の低い母線の電圧を優先的に上昇させることによって、母線の電圧を確実に第１電圧以上にすることができる。
【００６２】
又、負荷２８は母線２２に接続され、負荷３８は母線３２に接続される。例えば、母線２２の電圧が母線３２の電圧より低いと判定された場合、制御部５８は、負荷２８を遮断する。一方、例えば、母線３２の電圧が母線２２の電圧より低いと判定された場合、制御部５８は、負荷３８を遮断する。よって、電圧の低い母線の電圧を優先的に上昇させることによって、母線の電圧を確実に第１電圧以上にすることができる。
【００６３】
尚、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【００６４】
本実施形態においては、系統事故の発生が検出されてから、監視時間情報に示された時間を経過するまでの間、電圧低下を解消する構成について説明したが、これに限定されるものではない。例えば、系統事故の発生とは無関係に、常時、電圧低下を解消する構成としてもよい。その場合、系統事故が発生しないときも、母線２２、３２の電圧を第１電圧以上できるので、電力系統の信頼性を向上できる。
【符号の説明】
【００６５】
１、２、３        電気所
４                発電機
５                制御装置
１０、１１、２０、２１、２４、３０、３１、３４  遮断器
１２、２２、３２  母線
１３、２３、３３  変圧器
２５、２９、３５、３９              測定装置
２６、３６、２６１、２６２、２６３  電力用コンデンサ
２７、３７、２７１、２７２、２７３  分路リアクトル
２８、３８、２８１、２８２、２８３  負荷
５１              送受信部
５２              事故検出部
５３              記憶部
５４              入力部
５５              電圧判定部
５６              投入判定部
５７              順序決定部
５８              制御部
５９              時間判定部
６０、６１、６２、６３  送電線
１００            電力系統
５３１            第１の領域
５３２            第２の領域
５３３            第３の領域
５３４            第４の領域
【図１】
0005415603.tif 000002
【図２】
0005415603.tif 000003
【図３】
0005415603.tif 000004
【図４】
0005415603.tif 000005
【図５】
0005415603.tif 000006
【図６】
0005415603.tif 000007
【図７】
0005415603.tif 000008
【図８】
0005415603.tif 000009
【図９】
0005415603.tif 000010